【手続補正書】
【提出日】平成15年10月23日(2003.10.23)
【手続補正１】
【補正対象書類名】明細書
【補正対象項目名】発明の名称
【補正方法】変更
【補正の内容】
【発明の名称】データ記録装置およびディスク状記録媒体
【手続補正２】
【補正対象書類名】明細書
【補正対象項目名】特許請求の範囲
【補正方法】変更
【補正の内容】
【特許請求の範囲】
【請求項１】
ディスク状記録媒体にデータを記録するデータ記録装置において、
上記ディスク状記録媒体上に第１の領域とこれと異なる第２の領域を設ける領域設定手段と、
該第１の領域にはデータをシーケンシャルに記録し、該第２の領域にはデータをランダムに記録する記録手段を備えたことを特徴とするデータ記録装置。
【請求項２】
請求項１記載のデータ記録装置において、
前記領域設定手段は、前記ディスク状記録媒体上に前記第１の領域及び前記第２の領域とは異なる第３の領域を設け、
前記記録手段は、該第３の領域には前記データの管理情報を記録することを特徴とするデータ記録装置。
【請求項３】
請求項１記載のデータ記録装置において、
前記領域設定手段は、前記ディスク状記録媒体上に前記第１の領域及び前記第２の領域とは異なる第３の領域を設け、
前記記録手段は、該第３の領域には前記第１の領域に記録されたデータの管理情報を記録することを特徴とするデータ記録装置。
【請求項４】
請求項1ないし請求項３のいずれかに記載のデータ記録装置において、
前記各領域は、前記ディスク状記録媒体の半径方向に区分して配置されることを特徴とするデータ記録装置。
【請求項５】
請求項１記載のデータ記録装置において、
前記第１の領域及び前記第２の領域は、それぞれ複数の記録ブロックから構成され、
前記記録手段は、前記第１の領域内に連続して配置される記録ブロックに、前記データをシーケンシャルに記録することを特徴とするデータ記録装置。
【請求項６】
請求項４記載のデータ記録装置において、
前記第１の領域は、前記他の領域よりも外周側に配置されることを特徴とするデータ記録装置。
【請求項７】
請求項１記載のデータ記録装置において、
前記記録手段は、前記第１の領域ではデータをエンドレスに記録することを特徴とするデータ記録装置。
【請求項８】
請求項１記載のデータ記録装置において、
前記領域設定手段は、前記第１の領域と前記第２の領域のサイズをそれぞれ設定することを特徴とするデータ記録装置。
【請求項９】
請求項１記載のデータ記録装置において、
前記領域設定手段は、前記第１の領域と前記第２の領域のサイズの比率を設定することを特徴とするデータ記録装置。
【請求項１０】
請求項７記載のデータ記録装置において、
前記記録手段は、前記第１の領域内の所定の領域にてエンドレスに記録することを特徴とするデータ記録装置。
【請求項１１】
請求項１記載のデータ記録装置において、
前記第１の領域に記録されたデータの内、所望のデータを前記第１の領域から前記第２の領域へ複写する複写手段を備えることを特徴とするデータ記録装置。
【請求項１２】
請求項１１記載のデータ記録装置において、
前記複写手段は、前記記録手段が前記第１の領域へ記録する動作と並行して、前記第１の領域に記録されたデータを前記第２の領域へ複写することを特徴とするデータ記録装置。
【請求項１３】
請求項２記載のデータ記録装置において、
前記各領域はそれぞれ複数の記録ブロックから構成され、
前記記録手段は、前記第１の領域内に連続して配置される記録ブロックに前記データをシーケンシャルに記録し、前記データが記録された前記第１の領域内の記録ブロックのアドレスを、前記第３の領域へ記録することを特徴とするデータ記録装置。
【請求項１４】
請求項１３記載のデータ記録装置において、
前記第１の領域の記録ブロックと前記第２の領域の記録ブロックとは異なるサイズに設定されることを特徴とするデータ記録装置。
【請求項１５】
請求項２記載のデータ記録装置において、
前記ディスク状記録媒体の不良記録部分を検出する手段を有し、
前記記録手段は、該不良記録部分の位置情報を前記第３の領域へ記録することを特徴とするデータ記録装置。
【請求項１６】
請求項１５記載のデータ記録装置において、
前記第３の領域に記録した該不良記録部分の位置情報を元に前記ディスク状記録媒体の当該不良記録部分をジャンプして記録を続行する制御手段を備えることを特徴とするデータ記録装置。
【請求項１７】
請求項２または請求項３記載のデータ記録装置において、
前記ディスク状記録媒体のトラックの中から不良記録トラックを検出する手段を備え、
前記記録手段は、該不良記録トラックの番号を前記第３の領域へ記録するとともに、前記データを前記第１の領域へ記録する際、前記不良記録トラックをジャンプして記録を続行することを特徴とするデータ記録装置。
【請求項１８】
請求項５記載のデータ記録装置において、
データを蓄積するバッファ手段と、
該バッファ手段に所定容量のデータが蓄積されたことを検出するバッファ容量検出手段を備え、
前記記録手段は、該バッファ容量検出手段の結果に基づいて、前記ディスク状記録媒体上のトラックに配置される複数の記録ブロックに前記データを記録することを特徴とするデータ記録装置。
【請求項１９】
請求項１８記載のデータ記録装置において、
前記バッファ手段の蓄積容量は、前記ディスク状記録媒体のトラック単位に設定することを特徴とするデータ記録装置。
【請求項２０】
請求項１記載のデータ記録装置において、
前記記録媒体に他の記録媒体を増設接続する手段と、
前記第１の領域及び前記第２の領域の少なくとも一方を前記増設接続した記録媒体に領域確保する手段を備えることを特徴とするデータ記録装置。
【請求項２１】
請求項１または請求項２記載のデータ記録装置において、
前記データは、映像及び／又は音声のデータであることを特徴とするデータ記録装置。
【請求項２２】
請求項１または請求項２記載のデータ記録装置において、
前記第２の領域に記録されたデータは、映像及び／又は音声のデータであることを特徴とするデータ記録装置。
【請求項２３】
請求項５記載のデータ記録装置において、
前記データは映像信号及び／又は音声信号をディジタル圧縮したデータであって、
前記記録媒体の記録ブロックに少なくとも１つ以上の映像１コマを記録することを特徴とするデータ記録装置。
【請求項２４】
請求項４記載のデータ記録装置において、
前記ディスク状記録媒体は、ハードディスクであることを特徴とするデータ記録装置。
【請求項２５】
請求項４記載のデータ記録装置において、
前記ディスク状記録媒体は、光磁気ディスクであることを特徴とするデータ記録装置。
【請求項２６】
請求項４記載のデータ記録装置において、
前記ディスク状記録媒体は、相変化光ディスクであることを特徴とするデータ記録装置。
【請求項２７】
データが記録されたディスク状記録媒体において、
上記ディスク状記録媒体上には第１の領域とこれと異なる第２の領域を備え、
該第１の領域にはデータがシーケンシャルに記録され、該第２の領域にはデータがランダムに記録されていることを特徴とするディスク状記録媒体。
【請求項２８】
請求項２７記載のディスク状記録媒体において、
前記ディスク状記録媒体は、前記第１の領域及び前記第２の領域とは異なる第３の領域を備え、
該第３の領域には前記第１の領域に記録されたデータの管理情報が記録されていることを特徴とするディスク状記録媒体。
【請求項２９】
請求項２７記載のディスク状記録媒体において、
前記第１の領域に記録されたデータは、前記第１の領域内の所定の領域にてエンドレスに記録されていることを特徴とするディスク状記録媒体。
【請求項３０】
請求項２８記載のディスク状記録媒体において、
前記各領域はそれぞれ複数の記録ブロックから構成され、
前記第１の領域に記録されているデータは、前記第１の領域内に連続して配置される記録ブロックにシーケンシャルに記録され、前記データが記録されている前記第１の領域内の記録ブロックのアドレスは、前記第３の領域へ記録されていることを特徴とするディスク状記録媒体。
【請求項３１】
請求項２８記載のディスク状記録媒体において、
前記第１の領域の記録ブロックと前記第２の領域の記録ブロックとは異なるサイズに設定されていることを特徴とするディスク状記録媒体。
【請求項３２】
請求項２７または請求項２８記載のディスク状記録媒体において、
前記データは、映像及び／又は音声のデータであることを特徴とするディスク状記録媒
体。
【手続補正３】
【補正対象書類名】明細書
【補正対象項目名】０００１
【補正方法】変更
【補正の内容】
【０００１】
【発明の属する技術分野】
本発明は、記録媒体に連続で且つ高速なデータ転送が要求されるデータ記録装置およびディスク状記録媒体に関する。


【手続補正４】
【補正対象書類名】明細書
【補正対象項目名】０００９
【補正方法】変更
【補正の内容】
【０００９】
本発明は、上記の課題に鑑みてなされるものであって、前記ディスク状記録媒体のサステインドレートの確保、及びハードディスク記録容量の上限排除、及び接続台数上限の排除を行い、高レートで且つ連続したデータの記録に適したデータ記録装置およびディスク状記録媒体を提供することを目的とする。


【手続補正５】
【補正対象書類名】明細書
【補正対象項目名】００２０
【補正方法】変更
【補正の内容】
【００２０】
本発明のディスク状記録媒体は、第１の領域とこれと異なる第２の領域を備え、該第１の領域にはデータがシーケンシャルに記録され、該第２の領域にはデータがランダムに記録される構成とした。さらに、前記第１の領域及び前記第２の領域とは異なる第３の領域を備え、該第３の領域には前記第１の領域に記録されたデータの管理情報が記録される構成とした。